(57)【要約】【課題】温感が良く低体温法治療に安全、衛生的、かつ手軽に用いることのできる使い捨てタイプの医療用温感電熱ジャケットを提供する。【解決手段】上部材及び下部材共に厚さ１〜２mm程度の熱融着用シート材を用い、その間に電熱コードを配置して、シート材相互を熱融着し、その熱融着ビームの間で電源、コードを固定して成る電熱ジャケット本体を構成した。通電制御器には、充電器及びバッテリを付属させ、電源プラグを抜いても電源供給でき、安全に使用できる。【選択図】      図1
2006026266.tif 000002
【特許請求の範囲】
【請求項１】
低体温法による治療時の患者の温感による暖を取るため利用される使い捨て型の医療用温感電熱ジャケットであって、
ジャケット本体と、このジャケット本体の内部に収容されるヒータ線及びセンサ線を組み合わせて成る電熱コードと、この電熱コードに接続される雄型の本体側コネクタと、この本体側コネクタと接続される雌型の電源側コネクタと、この電源側コネクタと電源プラグとの間に配置され前記電熱コードへの通電制御を行う通電制御器とを有し、
前記ジャケット本体は、熱融着機能を備えた上下一対の熱融着用シート材で構成され、相互熱融着による熱融着ビーム間で前記電熱コードを固定すると共に、
前記通電制御器には、前記電源プラグを電源ソケットから外した状態で前記電源コードに電源供給できるバッテリチャージャ及びバッテリが備えられることを特徴とする医療用温感電熱ジャケット。
【請求項２】
請求項１に記載の医療用温感電熱ジャケットであって、前記熱融着用シート材の一方又は両方の表面には樹脂不織布製の保熱シートが被覆されることを特徴とする医療用温感電熱ジャケット。
【請求項３】
請求項１に記載の医療用温感電熱ジャケットであって、前記熱融着用シート材は樹脂不織布とされ、難燃性ポリウレタン、ポリオレフィン、ポリエステル、ポリアミドのいずれかであり、その平均繊維径は３〜３０μであることを特徴とする医療用温感電熱ジャケット。
【請求項４】
請求項１に記載の医療用温感電熱ジャケットであって、前記保熱シートは、ポリプロピレン及びポリエチレンの配合素材から成る不織布であることを特徴とする医療用温感電熱ジャケット。
【発明の詳細な説明】
【技術分野】
【０００１】
本発明は、低体温法による手術等の治療を行うとき、治療時の患者の暖を取るため使用するのに適した使い捨て型の医療用温感電熱ジャケットに関する。
【背景技術】
【０００２】
低体温法（Hypothermic）では、室温を１７℃程度の低温として患者の体温を下げ、新陳代謝の機能を低下させた上で手術等の治療が施される。
【０００３】
ところが、このような低温下で手術等の治療を行うと、患者は寒く、長時間の治療に耐えられないという問題点が有る。
【０００４】
そこで、従来U.S.Patent第5125238号に見られるように、ウォーミングカバー（Warming Cover）と称し、２重の薄いフィルムで構成される毛布の間に暖気を送り、患者の暖を取るようにしたものの例がある。暖気は、ヒータ組込みの箱状体で作り、前記毛布との間はフレキシブルな管で接続される。従って、ヒータ組込みの箱状体から大径の管を介して患者に被せた毛布に暖気を送り、患者の体全体又は一部を暖めることができる。毛布形状としては、大サイズのもの、小サイズのもの、或は腕部専用のもの等が各種準備されている。
【０００５】
しかしながら、以上の如きウォーミングカバーにあっては、ヒータ組込みの箱状体を必要とするため設備費が高く、小規模病院にあっては利用し難いという問題点がある。また、箱状体と毛布とを３０〜５０mmという比較的大径の管で接続するため、邪魔で、つまずき、或は、手が引っ掛かる等の恐れがあった。管につまずき、引っ掛かると、患者に掛けた毛布を引っ張る可能性があり、手術中の患者に重大事故を生ずる可能性も有る。
【０００６】
上記背景技術を解決する手段として、患者に電気毛布を掛けるという案がある。しかしながら、医療用の温感用ジャケットにあっては、使い捨てでなければならず、或は治療室中でクリーンに利用できるものでなければならず、かつ体全体を芯から暖めるのではなく、温感で暖めるものでなければならない等の点から機能的、コスト的に実用化できるものが未だ提案されていなかった。
【特許文献１】U.S.Patent:5,125,238、第１頁
【発明の開示】
【発明が解決しようとする課題】
【０００７】
上記従来技術に鑑みて、本発明は、使い捨て可能で、クリーンであり、安全に温感暖房できる電熱式の医療用温感電熱ジャケットを提供することを目的とする。
【課題を解決するための手段】
【０００８】
上記課題を解決することができる本発明の医療用電熱ジャケットは、低体温法による治療時の患者の温感による暖を取るため利用される使い捨て型の医療用温感電熱ジャケットであって、
ジャケット本体と、このジャケット本体の内部に収容されるヒータ線及びセンサ線を組み合せて成る電熱コードと、この電熱コードに接続される雄型の本体側コネクタと、この本体側コネクタと接続される雌型の電源側コネクタと、この電源側コネクタと電源プラグとの間に配置され前記電熱コードへの通電制御を行う通電制御器とを有し、
前記ジャケット本体は、熱融着機能を備えた上下一対の熱融着用シート材で構成され、相互熱融着による熱融着ビーム間で前記電熱コードを固定すると共に、前記通電制御器には、前記電源プラグを電源ソケットから外した状態で前記電熱コードに電源供給できるバッテリチャージャ及びバッテリが備えられることを特徴とする。
【０００９】
従って、本発明の医療用温感電熱ジャケットは、ジャケット本体をクリーンで、温感よく、安全で、安価に製造することができる。ジャケット本体の表面は、不織布製の保熱シートで被覆し保温性を高くすることができる。ジャケット本体は樹脂のみで構成できるので、紙等と異なり塵がでないのでクリーンである。電熱コードと患者との間には１又は２枚の不織布が介在されるので、高度に絶縁されており、安全である。さらに、本体部分の主な構成材料は1mm程度の表面保熱シートと、1〜2mmの熱融着用シート材２枚と、電熱コードのみであるので、使い捨てが可能な程度に安価に製造できる。
【００１０】
前記通電制御器には、前記電源プラグを商用の電源ソケットから外した状態で前記電源コードに電源供給できるバッテリチャージャ及びバッテリが備えられる。
【００１１】
従って、前記バッテリに充電した状態で、前記電源プラグをソケットから外し、前記通電制御器と共にベッド下に配置することにより、コードレスの状態で前記ジャケット本体中の前記電熱コードに通電することができる。手術中に施術者の足元で電線が邪魔になるようなことがなく、安全な手術を行うことができる。
【００１２】
前記熱融着用シート材は、難燃性ポリウレタン製の不織布又は発泡材、或いはポリオレフィン、ポリエステル、ポリアミドのいずれかとし、その平均繊維径は３〜３０μの不織布等とすることができる。繊維径を３〜３０μとすることにより、柔軟で保温性高く、しかも手触りの良い布とすることができる。また、これら樹脂による布は、丈夫で、繊維が砕けて放散されることもなく、クリーンである。
【００１３】
以上の構成による本発明の医療用温感電熱ジャケットは、暖気製造のための大掛りな設備を必要とせず、比較的小規模病院にあっても容易に利用できる。しかも、暖気供給用の大径の管等を必要としないので、安全使用が可能である。
【発明の効果】
【００１４】
以上の通り、本発明は、特許請求の範囲に記載の通りの医療用温感電熱ジャケットであるので、患者に負担をかけることなく低体温法による手術等の治療を円滑に行うことができる。
【００１５】
本発明の医療用温感電熱ジャケットでは、バッテリチャージャ及びバッテリを有し、手術中には電源プラグをソケットから外してベット下に持って行くことができるので、手術中施術者が電線につまずく恐れが少なく、ジャケット本体を患者から引き外すようなことがなく、安全に治療できる。
【００１６】
また、本発明の医療用温感電熱ジャケットは、電気式であり、電源側設備も含めて、設備費を安くすることができ、小規模病院でも低体温法を実施可能とすることができる。
【００１７】
熱融着用シート材としては、難燃性ポリウレタン製の不織布やその発泡材、或いは平均繊維径３〜３０μの難燃性ポリウレタン、ポリオレフィン、ポリエステル、ポリアミドのいずれかの不織布で構成するので、保温性よく、クリーンで、丈夫、かつ安価であり、使い捨てに対応可能である。
【発明を実施するための最良の形態】
【００１８】
以下、添付図面を参照しつつ本発明の実施の形態を説明する。図１及び図２は、本発明に係るジャケット本体１の内部構成を示す一部拡大断面図及びその部分の平面図、図３は、これと電源部分との接続関係を示す全体構成図である。図４、図５は、夫々他の実施形態を示す平面図である。本体１をジャケットと称して説明するが、不織布を用いる点から、これをブランケットと称することもできる。
【００１９】
図１において、本発明の一実施形態に係るジャケット本体１は、厚さ１〜２mm程度の難燃性ウレタン製の発泡材による熱融着用シート材２、３を上下に対峙させた状態で、その間に電熱コード４を挟み込んで、フィルム２、３相互を熱融着して構成している。寸法約１ｍ×２ｍの大人用サイズの例で示す。上面の熱融着用シート材２の外表面には、厚さ１ｍｍ程度のポリエチレン配合素材で成る保熱シート５、６を被覆してある。
【００２０】
電熱コード４は、抵抗値の変化により温度検出可能の信号線と、電圧印加に基く電流通過で抵抗熱を発生する電熱線とを有する。消磁のため正逆巻きした一対の抵抗線を用いることもできる。電熱コード４は２芯であるとする。図２に示すように、電熱コード４は、上下熱融着用シート材２、３の熱融着による熱融着ビーム７、７間で固定される。
【００２１】
以上の構成により、ジャケット本体１は、熱融着用シート材２、３で構成されるので、保熱シート５、６との間で滑らず、保熱シート６が人体に接し、滑らず、ベッドの上において、人体に対し気持ち良く適合できる。しかも、熱融着用シート材２は、平均繊維径３〜３０μの樹脂で作るので、丈夫でクリーンである。また、外表面には保熱シート５を被覆するので、保温性良く、衛生的である。電熱コード４の制御温度は、人体温度と略同一の37℃を基本とする。
【００２２】
図３において、前記ジャケット本体１の一端には、患者（図示せず）が仰向けで寝ている状態を想定して、その患者の首に相当する部分に切欠き８が設けられている。また、側部には、雄型の本体側コネクタ９が設けられている。このコネクタ９は、必ずしも本体１に直接接続させる必要は無い。電線を介して離して構成しても良い。本例では、直接本体に接続した例で示している。
【００２３】
前記コネクタ９の線数は、本体１の中に1本の電熱コード４がジグザグに組み込まれている場合、往復線を合わせて、合計４芯である。さらに、前記電熱ジャケット本体１の患者の胞部及び腹部に相当する位置には、その部分を夫々開口可能にするためのミシン目１０が入れられている。足部を放出させるためのミシン目１０も入れられている。従って、手術中、必要に応じミシン目１０を切り、所要部分を開口できる。
【００２４】
前記本体側コネクタ８は、雌型コネクタ１１と接続される。この雌型コネクタ１１は、48V通電用の電線１２を介し通電制御器１３と接続され、この通電制御器１３はAC−DCコンバータ１４を介して、120V通電用の電線１５と接続され、この電線１５は電源プラグ１６と接続される。AC-DCコンバータ１４は、120V交流を12V直流に変換する。この電源プラグ１６は、図示しない100〜120V交流電源ソケットと適時接続されるものである。（A）図として拡大して示すように、前記通電制御器１３には、12V直流を48V直流に変換するDC-DCコンバータ１７とバッテリチャージャ１８の並列回路が配置され、バッテリチャージャ１８は12V直流電力を蓄電するバッテリ１９が設けられている。前記DC-DCコンバータ１７の出力端は温調コントローラ２０と接続されている。この温調コントローラ２０は、前記電線１２と接続され、電熱コード４に48V直流電源を供給して、ジャケット温度が設定温度37℃となるよう制御するものである。
【００２５】
一方、前記DC-DCコンバータ１７とバッテリチャージャ１８の並列回路には切換えスイッチ２１が設けられ、このスイッチ２１の接片は、前記AC-DCコンバータ１４の出力端子Ｔ１と、前記バッテリ１９の出力端子１９とに切換え接続できるようになっている。従って、スイッチ２１を端子Ｔ１と接続する場合には、AC-DCコンバータ１４の出力電源をバッテリ１９に蓄電できると共に、電熱ジャケット１に電源供給できる。また、スイッチ２１を端子T２に切り換えれば、プラグ１６を電源ソケットから外した状態で、バッテリ１９の蓄電力を電熱ジャケット１へ供給できる。一般には、施術前に電源ジャケットをソケットに差して充電しておき、電熱ジャケット１を実際用いるときは、電源プラグ１６をソケットから外し、バッテリ１９の蓄電力を用いて電熱ジャケット１を用いる。
【００２６】
コネクタ８、１１相互は、自然には離反しないが、手で引けば相互に、容易に離反できる構造とする。従って、誤って外部電線を引き、コネクタ１１を引張った場合でも、これをコネクタ８から引き外すことができる。前記通電制御器１３の温調コントローラ２０の制御方式は、一般的なものでよく、例えば３７℃を基準として、電源をオン、オフする形のもので良い。
【００２７】
以上の構成により、本発明の医療用電熱ジャケット１にあっては、図示の通りにシステム構成され、電熱ジャケット１の本体部分を使い捨て可能として、低体温法による治療に用いることができる。コネクタ８、１１は雄雌に分離できるので、本体側コネクタ８以外の部分は、続けて使用することができる。
【００２８】
電源側の部材は、電源プラグ１４と、通電制御器１３と、AC-DCコンバータ１４と、電線１２、１３であるので、温風供給装置等と比べ安価、コンパクトで安全に構成できる。
【００２９】
バッテリチャージャ１８及びバッテリ１９を有し、手術中には電源プラグ１６をソケットから外してベット下に持って行くことができるので、手術中、施術者が電線につまずく恐れがなく、ジャケット本体を患者から引き外すようなことがなく、安全に治療できる。さらに、熱融着用シート材２、３及び保熱シート５、６としては、平均繊維径３〜３０μの、樹脂で構成するので、保温性よく、クリーンで、丈夫、かつ安価であり、使い捨てに対応可能である。
【００３０】
図４は、寸法約９０ｃｍ×１１５０ｍｍの子供用サイズの例を示す。図３に示すものと同一機能を果たす部材には、同一参照符号を付けて示している。ジャケット本体２２の寸法と、それに合わせて電熱コード４およびミシン目１０の配列が異なるのみで作用、効果は大人用のものと同様である。
【００３１】
図５は、２種のジャケット本体２３、２４を組み合せて利用できる例を示す。線２５で折り曲げ、折り曲げ部分から患者の頭部を出す形としても良い。このように、本発明のジャケット本体２３、２４は、組合わせ自在であり、かつ折り曲げ自在で、安全に使用できる。
【００３２】
本発明は以上示した実施形態に限定されるものではなく、本発明の要旨を逸脱しない範囲で適宜設計的変更を加え、各種態様で実施可能である。
【図面の簡単な説明】
【００３３】
【図１】本発明の一実施形態に係るジャケット本体の内部構成を示す一部拡大断面図である。（A）部に通電制御器の内容を拡大して示す。
【図２】図１の平面図である。
【図３】本発明の一実施形態に係る医療用電熱ジャケットのシステム構成を示す説明図である。
【図４】本発明の他の実施形態に係る子供用ジャケット本体を示す平面図である。
【図５】本発明の更に他の実施形態に係るジャケット本体の組み合わせ例を示す平面図である。
【符号の説明】
【００３４】
１、２２、２３、２４  ジャケット本体
２、３  熱融着用シート材
４  電熱コード
５、６  保熱シート
７  熱融着ビーム
８  切欠き
９  雄型コネクタ
１０  ミシン目
１１  雌型コネクタ
１２、１５  電線
１３  通電制御器
１４  AC-DCコンバータ
１６  電源プラグ
１７  DC-DCコンバータ
１８  バッテリチャージャ
１９  バッテリ
２０  温調コントローラ
２１  切換えスイッチ
Ｔ１、Ｔ２  切換え端子
【図１】
2006026266.tif 000003
【図２】
2006026266.tif 000004
【図３】
2006026266.tif 000005
【図４】
2006026266.tif 000006
【図５】
2006026266.tif 000007